(57)【要約】【課題】本発明の主たる課題は、折り畳まれたティシュペーパーを包装体から取り出しやすく、取り出して直ぐに使用できる、使用感に優れたポケットティシューを提供することである。【解決手段】複数の折り部によって折り畳まれたティシュペーパー２を積み重ねた積層体と、前記積層体を収納するフィルム状の包装体を備え、前記包装体の上面に形成された取出し口から前記ティシュペーパー２が取り出されるポケットティシューにおいて、ティシュペーパー２は、ティシュペーパー２をほぼ二等分する位置に設けられた第１折り部１０と、第１折り部１０により折り畳まれたティシュペーパー２の長手方向に沿った第２折り部１１と、第２折り部１１により折り畳まれたティシュペーパー２の短手方向に沿った第３折り部１２と、を有し、前記積層体は、第３折り部１２によって第１折り部１０が外側に露出した状態に折り畳まれたティシュペーパー２が複数積層されてなる。【選択図】図３
2015142607.tif 000002
【特許請求の範囲】
【請求項１】
複数の折り部によって折り畳まれたティシュペーパーを積み重ねた積層体と、前記積層体を収納するフィルム状の包装体を備え、前記包装体の上面に形成された取出し口から前記ティシュペーパーが取り出されるポケットティシューにおいて、
前記ティシュペーパーは、当該ティシュペーパーをほぼ二等分する位置に設けられた第１折り部と、
前記第１折り部により折り畳まれたティシュペーパーの長手方向に沿った第２折り部と、
前記第２折り部により折り畳まれたティシュペーパーの短手方向に沿った第３折り部と、
を有し、
前記積層体は、前記第３折り部によって前記第１折り部が外側に露出した状態に折り畳まれたティシュペーパーが複数積層されてなることを特徴とするポケットティシュー。
【請求項２】
前記第２折り部は、当該第２折り部により折り畳まれた際に、前記第１折り部が、前記取出し口と平行で、且つ取出し口の近傍に設けられていることを特徴とする、請求項１に記載のポケットティシュー。
【請求項３】
前記ティシュペーパーは、前記第１折り部の両端部からほぼ等距離に位置して前記第１折り部に直交する２つの前記第３折り部によって、前記両端部が突き合わされるように折り畳まれ、
突き合わされた前記両端部が前記取出し口と反対の面に向いた状態で前記包装体に収納されることを特徴とする、請求項１又は２に記載のポケットティシュー。
【請求項４】
前記積層体における前記ティシュペーパーは、前記第２折り部の位置が前記積層体の短手方向の一端部と他端部とで交互に変わるように積層されてなることを特徴とする、請求項１〜３の何れか一項に記載のポケットティシュー。 
【発明の詳細な説明】
【技術分野】
【０００１】
本発明は、ポケットティシューに関する。
【背景技術】
【０００２】
従来のポケットティシューは、折り畳まれたティシュペーパーが複数組重ねられた積層体が、樹脂製のフィルムよりなる袋状の包装体によって包装されており、包装体上面の短手方向略中央に形成され長手方向に沿って延在するスリット状の取出し口からティシュペーパーを取り出す構成となっている。
しかし、従来のポケットティシューでは、図５に示すように、ティシュペーパーが包装体収納時の包装体上面の長手方向に沿って複数回折り畳まれた後に、包装体上面の短手方向に沿って二つ折りにされているため、取り出したティシュペーパーを二つ折り等の使用しやすい形状にするためには一度広げて畳み直す等の手間を要するという問題があった。
そこで、例えば、長方形のティシュペーパーが、包装体上面の短手方向に沿って複数回折り畳まれただけのポケットティシューが提案されている（例えば、特許文献１及び２参照）。特許文献１及び２の発明によれば、取出し口から引き出した時点で、ティシュペーパーが適度なサイズ及び形状であるため、畳み直すことなくそのまま使用することができる。
【先行技術文献】
【特許文献】
【０００３】
【特許文献１】特開２０１３−１１１３２８号公報
【特許文献２】特開２０１３−１７７１８１号公報
【発明の概要】
【発明が解決しようとする課題】
【０００４】
しかし、上記特許文献１及び２に記載の発明では、積層された長方形のティシュペーパーの短辺の端部または折り部を指で摘まんで引き出す際に、折り部から引き裂かれることを防止するため、ティシュペーパー自体の強度を上げる必要があった。従って、保湿成分が含有されたティシュペーパーのように、使用感は優れているものの強度が弱いものを採用することが難しいという問題がある。
【０００５】
本発明の主たる課題は、折り畳まれたティシュペーパーを包装体から取り出しやすく、取り出して直ぐに使用できる、使用感に優れたポケットティシューを提供することである。
【課題を解決するための手段】
【０００６】
上記課題を解決するために、請求項１に記載の発明は、
複数の折り部によって折り畳まれたティシュペーパーを積み重ねた積層体と、前記積層体を収納するフィルム状の包装体を備え、前記包装体の上面に形成された取出し口から前記ティシュペーパーが取り出されるポケットティシューにおいて、
前記ティシュペーパーは、当該ティシュペーパーをほぼ二等分する位置に設けられた第１折り部と、
前記第１折り部により折り畳まれたティシュペーパーの長手方向に沿った第２折り部と、
前記第２折り部により折り畳まれたティシュペーパーの短手方向に沿った第３折り部と、
を有し、
前記積層体は、前記第３折り部によって前記第１折り部が外側に露出した状態に折り畳まれたティシュペーパーが複数積層されてなることを特徴とする。
【０００７】
請求項２に記載の発明は、請求項１に記載のポケットティシューにおいて、
前記第２折り部は、当該第２折り部により折り畳まれた際に、前記第１折り部が、前記取出し口と平行で、且つ取出し口の近傍に設けられていることを特徴とする。
【０００８】
請求項３に記載の発明は、請求項１又は２に記載のポケットティシューにおいて、
前記ティシュペーパーは、前記第１折り部の両端部からほぼ等距離に位置して前記第１折り部に直交する２つの前記第３折り部によって、前記両端部が突き合わされるように折り畳まれ、
突き合わされた前記両端部が前記取出し口と反対の面に向いた状態で前記包装体に収納されることを特徴とする。
【０００９】
請求項４に記載の発明は、請求項１〜３の何れか一項に記載のポケットティシューにおいて、
前記積層体における前記ティシュペーパーは、前記第２折り部の位置が前記積層体の短手方向の一端部と他端部とで交互に変わるように積層されてなることを特徴とする。
【発明の効果】
【００１０】
本発明によれば、ティシュペーパーを二つ折りの状態で取り出すことができるため、ティシュペーパーをいったん広げて畳み直す必要がなく、取り出してそのまま使用できる。
また、第２折り部と第３折り部が互いに直交した二つ折りの状態で取り出されるため、強度が高く、取り出す際に破れにくい。よって、ティシュペーパー自体の強度を従来より低くしても引き出す際に引き裂かれることを防止することができることとなって、使用感に優れたポケットティシューとすることができる。
【図面の簡単な説明】
【００１１】
【図１】本発明の実施形態におけるポケットティシューを示す斜視図である。
【図２】図１のII-II線における断面図である。
【図３】本発明の実施形態におけるティシュペーパーの折り方を示す斜視図である。
【図４】本発明の変形例におけるティシュペーパーの折り方を示す斜視図である。
【図５】従来のポケットティシューにおけるティシュペーパーの折り畳み後の状態を示す斜視図である。
【発明を実施するための形態】
【００１２】
以下、図を参照して、本発明の実施の形態を詳細に説明する。ただし、発明の範囲は図示例に限定されない。
なお、以下の説明では、ポケットティシュー１の厚み方向を上下方向とし、ポケットティシュー１の上面の短辺を前後方向（短手方向）とし、上下方向及び前後方向の双方に直交する方向を左右方向（長手方向）とする。
【００１３】
本実施形態のポケットティシュー１は、例えば、図１に示すように、左右方向に長尺な略直方体形状に形成されており、図２に示すように、複数のティシュペーパー２が積層されてなる積層体２０と、ティシュペーパー２を包装する包装体３と、を備えて構成される。
【００１４】
ティシュペーパー２は、２枚〜３枚の薄葉紙が積層されたプライ構造を有する。
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００１５】
本発明に係るティシュペーパー２の各プライを構成する薄葉紙１枚あたりの米坪は、好ましくは９〜２５ｇ／ｍ２、より好ましくは１０〜１５ｇ／ｍ２である。米坪が９ｇ／ｍ２未満では、柔らかさの向上の観点からは好ましいものの、使用に耐えうる十分な強度を適正に確保することが困難となる。逆に米坪が２５ｇ／ｍ２を超えると紙全体が硬くなるとともに、ゴワ付き感が生じてしまい肌触りが悪くなる。なお、米坪は、ＪＩＳ  Ｐ  ８１２４（１９９８）の米坪測定方法による。
【００１６】
他方、本発明に係るティシュペーパー２の紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００１７】
なお、紙厚の測定方法は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて測定する。紙厚は各プライを剥がすことなく組とした状態で測定する。
具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、厚みは測定を１０回行って得られる平均値とする。
【００１８】
ティシュペーパー２は、例えば、原紙に対して所定の割合で保湿系薬剤を主とする薬液を含浸させてなる保湿ティシュペーパーである。
ここで、保湿系薬剤としては、一般的に使用されているものであれば任意であるが、具体的には、例えば、グリセリン、ジグリセリン、プロピレングリコール、1,3-ブチレングリコール、ポリエチレングリコール等の多価アルコール、ソルビトール、グルコース、キシリトール、マルトース、マルチトール、マンニトール、トレハロース等の糖類、グルコール系薬剤及びその誘導体、セタノール、ステアリルアルコール、オレイルアルコール等の高級アルコールを含むポリオール、流動パラフィンなどが挙げられる。これらは単独で、或いは２種以上を組み合わせて用いることができる。また、これにグリシン、アスパラギン酸、アルギニン、アラニン、シスチン、システイン等のアミノ酸、アロエエキス、アマチャエキス、アシタバエキス、カリンエキス、キュウリエキス、スギナエキス、トマトエキス、ノバラエキス、ヘチマエキス、ユリエキス、レンゲソウエキス等の植物抽出エキス、オリーブ油、ホホバ油、ローズヒップ油、アーモンド油、ユーカリ油、アボカド油、ツバキ油、大豆油、サフラワー油、ゴマ油、月見草油等の植物油、ビタミン、加水分解コラーゲン、加水分解ケラチン、加水分解シルク、キトサン、尿素、ハチミツ、ローヤルゼリー、ヒアルロン酸ナトリウム、セラミド、スクワラン、ワセリンなどを配合することができる。
また、本発明は、ウエットティシューにも適用可能である。
【００１９】
包装体３は、通常のポケットティシューに使用されているものであれば任意であるが、具体的には、例えばポリエチレンやポリプロピレン等の熱可塑性樹脂からなるフィルムで形成される。
【００２０】
包装体３の上面には取出し口３ａが形成されており、取出し口３ａに指先を入れて内部に収納されたティシュペーパー２を摘まむことで、ティシュペーパー２を一枚ずつ引き出すことができる。
取出し口３ａは、例えば、長方形状をなす包装体３の上面において、短手方向略中央部に、長手方向両端部に亘って設けられたミシン目を破ることによって形成されるスリットである。
【００２１】
以下、ティシュペーパー２の折り畳み方を具体的に説明する。
図３は、当該実施形態のティシュペーパー２の折り畳み方を説明するものである。
ティシュペーパー２は、図３（ａ）に示すように、ティシュペーパー２をほぼ二等分する位置に設けられた第１折り部１０によって二つ折りにされる。
二つ折りにされたティシュペーパー２は、ティシュペーパー２の長手方向に沿った第２折り部１１によってさらに折り畳まれ（図３（ｂ））、最後に、ティシュペーパーの短手方向に沿った第３折り部１２によって、図３（ｃ）に示すように第１折り部１０が外側に向いた形状に折り畳まれる。
【００２２】
以上の方法で折り畳まれたティシュペーパー２は、図２に示すように、第２折り部１１の位置が積層体２０の前後方向の一端部と他端部とで交互に変わるように、即ち、第１折り部１０が交互に突き合わされるように積層され、第１折り部１０が取出し口３ａと平行であり、かつ、取出し口３ａの近傍にある状態で、包装体３に収納される。
【００２３】
本実施形態のポケットティシュー１を使用するにあたっては、第１折り部１０が取出し口３ａと平行であり、かつ、取出し口３ａの近傍にあるため、第１折り部１０の一部を指で容易に摘まみ、ティシュペーパー１を取り出すことができる。
【００２４】
また、ティシュペーパー２は、第１折り部１０を摘まんで引き出す間に、取出し口３ａとティシュペーパー２との間の摩擦抵抗によって第２折り部１１及び第３折り部１２が引き伸ばされる方向に力がかかり、包装体３から完全に引き出した時には、二つ折りの使いやすい形状となっている。
【００２５】
また、折り畳まれたティシュペーパー２は、図３（ｃ）に示すように厚みが薄い部分と厚い部分があるが、薄い部分と厚い部分が交互に重なるように積層体２０が形成されるため、ポケットティシュー１の全体の厚みは均一となって良好である。
【００２６】
（変形例）
図４はティシュペーパー２の折り畳み方の変形例を説明するものである。
本変形例において、ティシュペーパー２は、本実施形態と同様に第１折り部１０及び第２折り部１１によって折り畳まれ（図３（ａ）（ｂ））、続いて、第１折り部１０の左右両端部際からほぼ等距離にあって第１折り部１０に直交する第３折り部１３及び１４（図４（ａ））によって折り畳まれることにより、図４（ｂ）に示すように、第１折り部１０が外側に向き、かつ、第１折り部１０の両端部が第１折り部１０の中心部と重なる位置で突き合わされた形状となる。
【００２７】
本変形例の方法で折り畳まれたティシュペーパー２は、本実施形態と同様に第２折り部１１の位置が積層体２０の前後方向の一端部と他端部とで交互に変わるように、即ち、第１折り部１０が交互に突き合わされるように積層され、第１折り部１０が取出し口３ａの長手方向と平行かつ取出し口３ａの近傍にあり、突き合わされた第１折り部１０の両端部が取出し口３ａと反対の面に向いた状態で、包装体３に収納される。
【００２８】
本変形例のポケットティシュー１の使用に当たっても、第１折り部１０を容易に摘まんでティシュペーパー２を引き出すことができ、包装体３から完全に引き出した時には、二つ折りの使いやすい形状となっている。
【００２９】
また、本変形例においては、第１折り部１０を摘まんでからティシュペーパー２を包装体３から完全に引き出すまでの動作距離が実施形態に比べて短くて済むためティシュペーパー２の引き出しがさらに容易であり、また、各折り部にかかる力がさらに低減できる。
【００３０】
また、折り畳まれたティシュペーパー２は、図４（ｂ）に示すように厚みが薄い部分と厚い部分があるが、薄い部分と厚い部分が交互に重なるように積層体２０が形成されるため、ポケットティシュー１の全体の厚みは均一となって良好である。
【００３１】
以上説明した本発明のポケットティシュー１は、ティシュペーパー２を二つ折りの状態で取り出すことができるため、ティシュペーパー２をいったん広げて畳み直す必要がなく、取り出してそのまま使用できる。
【００３２】
また、ティシュペーパー２が、第２折り部１１と第３折り部１２、１３、１４が互いに直交した二つ折りの状態で取り出されるため、強度が高く、取り出す際に破れにくくしているので、折り部に過度な力がかかることなく、ティシュペーパー自体の強度を従来のものより低くしても引き出す際に引き裂かれることを防止することができる。そのため、ローションティシュペーパー等の柔らかいティシュペーパーには特に好適である。
【００３３】
また、二つ折りにした折り部を摘まんで引き出すため、原紙が積層されたティシュペーパー２においても、個々の薄葉紙が分離することがなく、取り出しやすい。
【００３４】
なお、本発明は上記実施形態及び変形例に限るものではなく、その要旨を逸脱しない範囲で適宜変更可能である。
【００３５】
また、取出し口３ａの長手方向とティシュペーパー２の繊維の方向とが直交する状態でティシュペーパー２を収納すると、第１折り部１０を摘まんで引き出す際に繊維の方向と平行に力を加えることとなり、引っ張り方向の強度が増して、取り出し時にティシュペーパー２がさらに裂けにくいため、使用感がさらに良好である。
【符号の説明】
【００３６】
１                ポケットティシュー
２                ティシュペーパー
３                包装体
３ａ              取出し口
１０              第１折り部
１１              第２折り部
１２、１３、１４  第３折り部
２０              積層体
【図１】
2015142607.tif 000003
【図２】
2015142607.tif 000004
【図３】
2015142607.tif 000005
【図４】
2015142607.tif 000006
【図５】
2015142607.tif 000007
【手続補正書】
【提出日】平成27年3月25日(2015.3.25)
【手続補正１】
【補正対象書類名】明細書
【補正対象項目名】０００７
【補正方法】変更
【補正の内容】
【０００７】
請求項２に記載の発明は、請求項１に記載のポケットティシューにおいて、
前記第２折り部により折り畳まれたティシュペーパーの前記第１折り部が、前記取出し口と平行で、且つ取出し口の近傍に設けられていることを特徴とする。
【手続補正２】
【補正対象書類名】明細書
【補正対象項目名】０００９
【補正方法】変更
【補正の内容】
【０００９】
請求項４に記載の発明は、請求項１〜３の何れか一項に記載のポケットティシューにおいて、
前記積層体は、前記ティシュペーパーの前記第２折り部の位置が前記積層体の短手方向の一端部と他端部とで交互に変わるように積層されてなることを特徴とする。
【手続補正３】
【補正対象書類名】特許請求の範囲
【補正対象項目名】請求項２
【補正方法】変更
【補正の内容】
【請求項２】
前記第２折り部により折り畳まれたティシュペーパーの前記第１折り部が、前記取出し口と平行で、且つ取出し口の近傍に設けられていることを特徴とする、請求項１に記載のポケットティシュー。
【手続補正４】
【補正対象書類名】特許請求の範囲
【補正対象項目名】請求項４
【補正方法】変更
【補正の内容】
【請求項４】
前記積層体は、前記ティシュペーパーの前記第２折り部の位置が前記積層体の短手方向の一端部と他端部とで交互に変わるように積層されてなることを特徴とする、請求項１〜３の何れか一項に記載のポケットティシュー。
【手続補正書】
【提出日】平成27年6月1日(2015.6.1)
【手続補正１】
【補正対象書類名】明細書
【補正対象項目名】０００６
【補正方法】変更
【補正の内容】
【０００６】
上記課題を解決するために、請求項１に記載の発明は、
複数の折り部によって折り畳まれたティシュペーパーを積み重ねた積層体と、前記積層体を収納するフィルム状の包装体を備え、前記包装体の上面に形成された取出し口から前記ティシュペーパーが取り出されるポケットティシューにおいて、
前記ティシュペーパーは、当該ティシュペーパーをほぼ二等分する位置に設けられた第１折り部と、
前記第１折り部により折り畳まれたティシュペーパーの長手方向に沿った第２折り部と、
前記第２折り部により折り畳まれたティシュペーパーの短手方向に沿った第３折り部と、
を有し、
前記積層体は、前記第３折り部によって前記第１折り部が外側に露出した状態に折り畳まれたティシュペーパーが複数積層されてなり、
前記ティシュペーパーは、前記第１折り部の両端部からほぼ等距離に位置して前記第１折り部に直交する２つの前記第３折り部によって、前記両端部が突き合わされるように折り畳まれ、
突き合わされた前記両端部が前記取出し口と反対の面に向いた状態で前記包装体に収納されることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項３に記載の発明は、請求項１又は２に記載のポケットティシューにおいて、
前記積層体における前記ティシュペーパーは、前記第２折り部の位置が前記積層体の短手方向の一端部と他端部とで交互に変わるように積層されてなることを特徴とする。
【手続補正４】
【補正対象書類名】特許請求の範囲
【補正対象項目名】全文
【補正方法】変更
【補正の内容】
【特許請求の範囲】
【請求項１】
複数の折り部によって折り畳まれたティシュペーパーを積み重ねた積層体と、前記積層体を収納するフィルム状の包装体を備え、前記包装体の上面に形成された取出し口から前記ティシュペーパーが取り出されるポケットティシューにおいて、
前記ティシュペーパーは、当該ティシュペーパーをほぼ二等分する位置に設けられた第１折り部と、
前記第１折り部により折り畳まれたティシュペーパーの長手方向に沿った第２折り部と、
前記第２折り部により折り畳まれたティシュペーパーの短手方向に沿った第３折り部と、
を有し、
前記積層体は、前記第３折り部によって前記第１折り部が外側に露出した状態に折り畳まれたティシュペーパーが複数積層されてなり、
前記ティシュペーパーは、前記第１折り部の両端部からほぼ等距離に位置して前記第１折り部に直交する２つの前記第３折り部によって、前記両端部が突き合わされるように折り畳まれ、
突き合わされた前記両端部が前記取出し口と反対の面に向いた状態で前記包装体に収納されることを特徴とするポケットティシュー。
【請求項２】
前記第２折り部は、当該第２折り部により折り畳まれた際に、前記第１折り部が、前記取出し口と平行で、且つ取出し口の近傍に設けられていることを特徴とする、請求項１に記載のポケットティシュー。
【請求項３】
前記積層体における前記ティシュペーパーは、前記第２折り部の位置が前記積層体の短手方向の一端部と他端部とで交互に変わるように積層されてなることを特徴とする、請求項１又は２に記載のポケットティシュー。